(57)【要約】【課題】カード型光ディスクなど円盤型の光ディスクとは異形の光ディスクであって、データ記録領域の外側の領域に可視画像を形成した情報記録用光ディスクを簡単に作成可能なディスク構造、同構造により作成された光ディスク、上記の光ディスクの領域に可視画像を形成するための光ディスク記録方法、及び光ディスク記録装置を提供する。【解決手段】１つまたは複数の切取線を備え、この切取線で切片を切り取ることで円盤型とは異形の光ディスクが得られる円盤型光ディスクを用いて、この円盤型光ディスクにおける異形の光ディスクとなる部分に内接する円よりも外側に、可視画像を形成する。ユーザは、この円盤型光ディスクの切取線で切片を切り取ることで、記録面のデータを記録できない領域に可視画像が形成された異形の光ディスクを得ることができる。【選択図】図６
2004079142.tif 000002
【特許請求の範囲】
【請求項１】
外周部の一部または全部を切り取るための切取線を設けた情報記録用光ディスク。
【請求項２】
前記外周部を前記切取線で切り取った後の重心位置が、切り取る前とほぼ同じ位置である請求項１に記載の情報記録用光ディスク。
【請求項３】
前記外周部を前記切取線で切り取ったとき、外形がカード型になる請求項１または２に記載の情報記録用光ディスク。
【請求項４】
請求項１に記載の情報記録用光ディスクの外周部に、データ記録と同様のレーザ光照射プロセスによって可視画像を形成し、前記外周部を前記切取線で切り取ることを可能にした情報記録用光ディスク。
【請求項５】
円盤形状の光ディスクの外周部を切り取るために形成された１つまたは複数の切取線を検出する検出工程、
上記検出工程で検出した切取線に基づいて位置決めして、データ記録と同様のレーザ光照射プロセスによって可視画像を形成する画像形成工程、
上記外周部を上記切取線で切り取る切取工程、からなる光ディスク可視画像形成方法。
【請求項６】
前記可視画像は、前記外周部を前記切取線で切り取った残りの領域に内接する円の外側の領域に形成された請求項５に記載の光ディスク可視画像形成方法。
【請求項７】
円盤形状の光ディスクの外周部を切り取るために形成された１つまたは複数の切取線の位置を検出する切取線検出手段と、
上記光ディスクの記録面に、ピットを形成してデータを記録するとともに、このデータ記録プロセスによって可視画像を形成する記録手段と、を備え、
上記記録手段は、上記切取線検出手段の検出結果に基づいて位置決めして、上記可視画像を形成する光ディスク記録装置。
【請求項８】
前記記録手段は、前記外周部を前記切取線で切り取って残った領域であって、この領域に内接する円の外側に前記可視画像を形成する請求項７に記載の光ディスク記録装置。
【発明の詳細な説明】
【０００１】
【発明の属する技術分野】
この発明は、外周部を切り取るための切取線を設けた情報記録用光ディスク、可視画像を形成されて外周部が切り取られた情報記録用光ディスク、可視画像を光ディスクに形成するための光ディスク可視画像形成方法、及び可視画像を光ディスクに形成する光ディスク記録装置に関する。
【０００２】
【従来の技術】
データを記録可能な光ディスクであるＣＤ−ＲやＣＤ−ＲＷは、直径１２ｃｍの円盤型が一般的であり、この他に直径８ｃｍの円盤型のものが流通している。近年、円盤型とは異形な光ディスクとして、カード型のものが流通するようになってきた。図８は、カード型光ディスクの外観図である。図８に示したように、カード型光ディスクには、樽のような形状の樽型（ラウンドタイプ）光ディスク（同図（Ａ））１０１と、長方形の名刺型（スクウェアタイプ）光ディスク（同図（Ｂ））１１１と、がある。樽型光ディスク１０１は、大きさが約６０ｍｍ×８０ｍｍであり、その中央部にφ１５ｍｍのセンタホール（中心孔）１０２が設けられている。また、このセンタホール１０２の周囲には、クランピングエリア１０３が設けられている。さらに、カード型光ディスク１０１の記録面には、クランピングエリア１０３の外周に設けられたデータの記録領域１０４に、螺旋状のプリグルーブ（記録トラック）が形成されている。また、樽型光ディスク１０１のレーベル面には、所望の情報を記入または印刷することができるようになっている。名刺型光ディスク１１１は、大きさが約６０ｍｍ×約８５ｍｍであり、外形以外は樽型光ディスク１０１とほぼ同様の形状である。
【０００３】
図９は、光ディスクドライブのトレイにカード型光ディスクを載置した状態を示した図である。カード型光ディスクは、８ｃｍの円盤型光ディスクをトレイに載置して記録再生が可能な光ディスクドライブで、専用のアダプタ無しでも記録再生できるような形状に加工されている。すなわち、樽型光ディスク１０１の場合、外周部１０５，１０６の形状がφ８０ｍｍの円弧となるように加工されている。図９（Ａ）に示したように、ユーザは、光ディスクドライブのトレイ１２１へ樽型光ディスク１０１を載置する際に、外周部１０５，１０６の部分がトレイ１２１の凹部１２２にはまるようにすることで、樽型光ディスク１０１がトレイ１２１からずれることなくデータを記録再生できる。
【０００４】
また、名刺型光ディスク１１１の場合、記録面側のセンタホール１１２を中心とするφ８０ｍｍの位置に突起１１５，１１６が形成されている。図９（Ｂ）に示したように、ユーザは、光ディスクドライブのトレイ１２１に名刺型光ディスク１１１を載置する際に、この突起１１５，１１６が光ディスクドライブのトレイ１２１の凹部１２２の外周にはまるようにすることで、名刺型光ディスク１１１がトレイ１２１からずれること無く、データを記録再生できる。
【０００５】
カード型光ディスク１０１（１１１）は、上記のように名刺を一回り大きくした程度の大きさなので、ワイシャツのポケットや定形封筒に入れることができ、携帯性に優れている。また、記録可能なデータ量は３０〜５０ＭＢであり、実用上問題無い容量を備えている。このような特徴を持つカード型光ディスクは、記録面にコンピュータ用データや音楽データなどを記録し、また、レーベル面に個人や会社の情報などを印刷することで、データを添付したビジネスカードとして、また、個人が作成したデータを配布するためのツールとして、利用することができる。
【０００６】
【発明が解決しようとする課題】
カード型光ディスク１０１（１１１）は、前記のような形状のため、円盤型光ディスクのように全面に亘って螺旋状の記録トラックを形成することができない。すなわち、カード型光ディスク１０１（１１１）は、螺旋状の記録トラックを形成できるのは、センタホール１０２（１１２）を中心として、カード型光ディスク１０１（１１１）の外周に接する最大径の円（以下、内接円と称する。）よりも内側だけである。したがって、この内接円より外側に記録トラックを形成した場合、記録トラックは断続的になり、この領域にデータを記録したり、この領域に記録されたデータを再生しようとすると、記録トラックが途切れる部分でフォーカシングエラーやトラッキングエラーが発生する。このように、内接円よりも外側の領域では、データをうまく記録再生することができず、実質的に無駄な領域となっていた。
【０００７】
しかし、この内接円よりも外側の領域は、光ディスクがカード型形状であるためには必要な領域である。また、この領域は、前記のように光ディスクドライブで、アダプタ無しでも記録再生できるようにするために必要である。
【０００８】
一方、記録形光ディスクに対して、可視画像をデータ未記録領域に形成する技術がある。この技術は、ピットを形成してデータを記録するプロセスによって可視画像を形成する。すなわち、記録形光ディスクへデータを記録するためにレーザ光を照射すると、ピットが形成される。光ディスクでは、ピットが形成された部位と、ピットが形成されていない部位と、で光の反射率が異なり、記録面に色の濃淡が発生する。可視画像は、この特性を利用して形成するもので、記録形光ディスクのデータ記録面にレーザ光を照射して形成したピットによって、文字、記号、図形、絵画、写真など所望の形状を表示した視認可能な画像である。従来の光ディスク記録装置は、記録形光ディスクのデータ記録面に例えば、記録データに関する情報などを表示する可視画像を形成していた。
【０００９】
しかしながら、この可視画像形成技術は、上記のようにピットを形成してデータを記録するプロセスと同様のプロセスを用いたものである。そのため、上記のようにカード型光ディスクの外周の内接円よりも外側では、フォーカシングエラーなどのためにデータを記録できないのと同じ理由で、可視画像を形成できないという問題があった。
【００１０】
また、光ディスクのメーカーでは、専用のスタンパや金型を用いて射出成形によりポリカーボネート基板を作成し、一連の製造工程によってカード型光ディスク１０１（１１１）や円盤型光ディスクを作成している。そのため、光ディスクのメーカーは、複数種類の光ディスクのスタンパ、金型、製品在庫を管理しなければならず、光ディスクの管理費がアップするという問題があった。
【００１１】
また、ユーザは、用途に応じて光ディスクの形状を選択しなければならないが、カード型光ディスクは、円盤型光ディスクに比べて流通量が少ない。そのため、カード型光ディスクは円盤形光ディスクに比べて価格が高く、ユーザの費用負担が大きくなるという問題があった。
【００１２】
そこで、本発明は上記の問題を解決して、カード型光ディスクなど円盤型の光ディスクとは異形の光ディスクであって、データ記録領域の外側の領域に可視画像を形成した情報記録用光ディスクを簡単に作成可能なディスク構造、同構造により作成された光ディスク、上記の光ディスクの領域に可視画像を形成するための光ディスク記録方法、及び光ディスク記録装置を提供することを目的とする。
【００１３】
【課題を解決するための手段】
この発明は、上記の課題を解決するための手段として、以下の構成を備えている。
【００１４】
（１）外周部の一部または全部を切り取るための切取線を設けたことを特徴とする。
【００１５】
ここで、切取線とは、ミシン目、スリット、Ｖ字溝など、光ディスクの外周部を切り取るために設けたものである。本発明では、円盤形状の光ディスクの状態で、外側の領域に可視画像を形成した後、上記切取線で外周部を切り取ることで、元の形状とは異なった形状で外側に可視画像を有する情報記録用光ディスクを容易に作成することができる。
【００１６】
（２）前記外周部を前記切取線で切り取った後の重心位置が、切り取る前とほぼ同じ位置である。
【００１７】
通常、光ディスクの重心は、回転中心である中心孔のほぼ中央であるので、切取線で外周を切り取った後においても、この情報記録用光ディスクを、常にバランス良く回転させて、データの記録や再生を安定して行うことができる。
【００１８】
（３）前記外周部を前記切取線で切り取ったとき、外形がカード型になる。
【００１９】
したがって、情報記録用光ディスクとして、カード型形状の光ディスクをユーザに提供できる。
【００２０】
（４）上記（１）に記載の情報記録用光ディスクの外周部に、データ記録と同様のレーザ光照射プロセスによって可視画像を形成し、前記外周部を前記切取線で切り取ることを可能にしたことを特徴とする。
【００２１】
この構成からなる光ディスクは、出発基材が円盤形状の光ディスクであり、これを切取線で切り取ることによって極めて簡単に元の光ディスクと異なる形状の光ディスクを得ることができる。
【００２２】
（５）円盤形状の光ディスクの外周部を切り取るために形成された１つまたは複数の切取線を検出する検出工程、
上記検出工程で検出した切取線に基づいて位置決めして、データ記録と同様のレーザ光照射プロセスによって可視画像を形成する画像形成工程、
上記外周部を上記切取線で切り取る切取工程、からなることを特徴とする。
【００２３】
この発明は、上記（４）の光ディスクを得るための製造方法に係る。この方法は、切取線の有る円盤形状の光ディスクに対してのみ各工程が実施される。切取線の検出は、切取線の部分にレーザ光を照射すると、その反射光レベルが下がるため、これを利用して行うことが可能である。
【００２４】
（６）前記可視画像は、前記外周部を前記切取線で切り取った残りの領域に内接する円の外側の領域に形成されている。
【００２５】
ここで、内接円とは、光ディスクの外周部を前記切取線で切り取って残った領域において、中心孔を中心として上記の領域の外周に接する円のことである。上記内接円の外側の領域は、記録トラックを形成しても、外周部を切取線で切り取ると記録トラックが断続的になり、データを記録したり記録データを再生しようとしても、フォーカシングエラーやトラッキングエラーが発生するため、データの記録や再生を行うことができない領域である。本発明では、この領域に可視画像を形成することができるので、この領域に任意の情報を表示するなどして有効に活用することができる。
【００２６】
【発明の実施の形態】
以下に、本発明の実施形態に係る情報記録用光ディスク、光ディスク可視画像形成方法、及び光ディスク記録装置について説明する。
【００２７】
本発明の光ディスクは、１つまたは複数の切取線を備え、この切取線で外周部（以下、切片と称する。）を切り取ることで、円盤型とは異形の光ディスクとなる円盤型光ディスクである。また、本発明の光ディスク記録装置は、この円盤型光ディスクにおける異形の光ディスクとなる部分（切片を切り取って残った部分）の外周に接する円（以下、内接円と称する。）よりも外側に、可視画像を形成する。ユーザは、この円盤型光ディスクの切取線で切片を切り取ることで、記録面のデータを記録できない領域（切片を切り取ると記録トラックが断続的になる領域）に可視画像が形成された、円盤型とは異形の光ディスクを得ることができる。
【００２８】
まず、光ディスクに可視画像を形成する光ディスク記録装置の構成について説明する。図１は、本発明の実施形態に係る光ディスク記録装置の構成を示したブロック図である。
【００２９】
図１に示したように、光ディスク記録装置１は、ホストコンピュータ３に、光ディスクドライブ２が接続された構成である。光ディスクドライブ２は、フィードモータ８、ガイドレール９、光ピックアップ１０、スピンドルモータ１１、ＲＦアンプ１２、サーボ回路１３、ＡＴＩＰアドレス検出回路１４、デコーダ１５、制御部１６、エンコーダ１７、ストラテジ回路１８、レーザドライバ１９、レーザパワー制御回路２０、周波数発生器２１、ＡＴＩＰ　Ｓｙｎｃ検出回路２２、記憶部２５、バッファメモリ３０、及びレーザ照射パターン変換回路３１を備えている。また、ホストコンピュータ３は、表示部４、入力部５、メイン記憶部６、及びメイン制御部７を備えている。
【００３０】
フィードモータ８は、光ピックアップ１０を光ディスクＤの半径方向に移動させるための駆動力を供給するモータである。
【００３１】
ガイドレール９は、光ピックアップ１０が光ディスクＤの半径方向に移動するように、光ピックアップ１０を支持する。
【００３２】
スピンドルモータ１１は、データを記録する対象である光ディスクＤを回転駆動するモータである。また、スピンドルモータ１１の回転軸先端部には、光ディスクＤを保持（チャッキング）するためのターンテーブルなどからなる図外の光ディスク保持機構が設けられている。
【００３３】
光ピックアップ１０は、レーザダイオード、レンズ及びミラーなどの光学系、戻り光（反射光）受光素子、並びにフォーカスサーボ機構などを備えている。また、記録時には光ディスクＤに対してレーザ光を照射し、ピットを形成してデータを記録する。また、光ピックアップ１０は、このデータ記録プロセスを用いて、所望の形状の視認可能な画像である可視画像を光ディスクに形成する。さらに、光ピックアップ１０は、光ディスクＤからの戻り光を受光して受光信号であるＷｏｂｂｌｅ信号をＲＦアンプ１２に出力する。なお、フォーカスサーボ機構は、光ピックアップ１０のレンズと光ディスクＤのデータ記録面との距離を一定に保つためのサーボ機構である。また、光ピックアップ１０は、モニタダイオードを備えており、光ディスクＤの戻り光によってモニタダイオードに電流が生じ、この電流がレーザパワー制御回路２０へ供給されるようになっている。
【００３４】
周波数発生器２１は、スピンドルモータ１１が出力した光ディスクＤの相対位置信号を検出して、光ディスクＤの回転角度や回転数を検出するための信号をサーボ回路１３に出力する。
【００３５】
ＲＦアンプ１２は、光ピックアップ１０から供給されるＷｏｂｂｌｅ信号を増幅して、増幅後のＲＦ信号をサーボ回路１３、ＡＴＩＰアドレス検出回路１４、ＡＴＩＰ　Ｓｙｎｃ検出回路２２、及びデコーダ１５に出力する。
【００３６】
デコーダ１５は、再生時には、ＲＦアンプ１２から供給されるＥＦＭ変調されたＲＦ信号をＥＦＭ復調して再生データを生成し、データ記憶回路２５に出力する。
【００３７】
ＡＴＩＰアドレス検出回路１４は、ＲＦアンプ１２から供給された戻り光信号からウォブル信号成分を抽出し、このウォブル信号成分に含まれる各位置の時間情報（アドレス情報）、及び光ディスクＤを識別する識別情報（ディスクＩＤ）や光ディスクＤの色素などディスクの種類を示す情報を復号し、制御部１６に出力する。なお、上記のウォブル信号成分に含まれる各位置の時間情報（アドレス情報）、及び光ディスクＤを識別する識別情報（ディスクＩＤ）やディスクの色素などディスクの種類を示す情報は、ＡＴＩＰ（Ａｂｓｏｌｕｔｅ　Ｔｉｍｅ　Ｉｎ　Ｐｒｅｇｒｏｏｖｅ）情報とも称する。
【００３８】
ＡＴＩＰ　Ｓｙｎｃ検出回路２２は、ＡＴＩＰ信号中のパターンから同期信号パターンを検出し、サーボ回路１３及び制御回路１６へ出力する。
【００３９】
サーボ回路１３は、スピンドルモータ１１の回転制御、並びに光ピックアップ１０のフォーカス制御、トラッキング制御、及びフィードモータ８による光ピックアップ１０の送り制御を行う。ここで、本実施形態に係る光ディスク記録装置１では、記録時には光ディスクＤを角速度一定で駆動する方式であるＣＡＶ（Ｃｏｎｓｔａｎｔ　Ａｎｇｕｌａｒ　Ｖｅｌｏｃｉｔｙ）方式と、光ディスクＤを線速度一定にして駆動する　方式であるＣＬＶ（Ｃｏｎｓｔａｎｔ　Ｌｉｎｅａｒ　Ｖｅｌｏｃｉｔｙ）方式と、を切り替えて行うことができるようになっている。そのため、サーボ回路１３は、制御部１６から供給される制御信号に応じてＣＡＶ方式とＣＬＶ方式とを切り替える。サーボ回路１３はＣＡＶ制御の場合、周波数発生器２１によって検出されるスピンドルモータ１１の回転数が、設定された回転数と一致するように制御する。また、サーボ回路１３は、ＣＬＶ制御の場合、ＲＦアンプ１２から供給された信号のウォブル信号成分が設定された線速度倍率相当になるようにスピンドルモータ１１を制御する。また、本発明の光ディスク記録装置１は、光ディスクの記録面に可視画像を形成する際には、ＣＡＶ方式で光ディスクを回転させる。
【００４０】
エンコーダ１７は、メイン制御部７から出力された記録データをＥＦＭ変調し、ストラテジ回路１８に出力する。ストラテジ回路１８は、エンコーダ１７からのＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御信号と、に従って光ピックアップ１０のレーザダイオードを駆動する。
【００４１】
レーザパワー制御回路２０は、光ピックアップ１０のレーザダイオードから照射されるレーザ光のパワーを制御する。具体的には、レーザパワー制御回路２０は、光ピックアップ１０のモニタダイオードから出力される電流値と、制御部１６から送信される最適なレーザパワーの目標値を示す情報と、に基づいて、最適なレーザパワーのレーザ光が光ピックアップ１０から照射されるように、レーザドライバ１９を制御する。
【００４２】
制御部１６は、ＣＰＵ、ＲＯＭ、及びＲＡＭ等から構成されており、ＲＯＭに格納されたプログラムに従って光ディスク記録装置１の各部を制御して、光ディスクにデータの記録や可視画像の形成を行う。また、光ディスクに記録されたデータの再生を行う。また、制御部１６は、セットされた記録用光ディスクの種類を判別するために、サーボの自動調整を行い、サーボ回路１３、レーザパワー制御回路２０、エンコーダ１７、バッファメモリ３０、及びレーザ照射パターン変換回路３１にそれぞれ所定の信号を出力する。これらの信号が出力されると、光ピックアップ１０は、所定の位置に移動するとともに、レーザ光を記録用光ディスクに照射して、データの記録を行う。
【００４３】
バッファメモリ３０は、メイン制御部７から転送される可視画像形成データを一時的に格納し、レーザ照射パターン変換回路３１へ出力する。レーザ照射パターン変換回路３１は、可視画像形成データをレーザ照射パターンへ変換し、レーザドライバ１９へ出力する。なお、メイン制御部７でレーザ照射パターン変換を行う構成の場合、バッファメモリ３０及びレーザ照射パターン変換回路３１は不要である。
【００４４】
記憶部２５は、実験などを行って予め求めたデータや、光ディスク記録装置１のファームウェアなどを記憶する。
【００４５】
ホストコンピュータ３の表示部４は、光ディスクＤに記録したデータの信号品位や、光ディスク記録装置１からユーザに伝達する情報などを表示するためのものである。入力部５は、ユーザが光ディスク記録装置１の各種制御や操作を行う。メイン記憶部６は、光ディスクドライブ２で光ディスクＤに形成する可視画像に関するデータ処理を行うプログラムや、可視画像を光ディスクのデータ記録面に形成するための情報である可視画像形成データなどを記憶する。メイン制御部７は、光ディスク記録装置の各部を制御して、データの記録・確認・再生、可視画像の形成を行う。
【００４６】
次に、本発明の光ディスクＤについて説明する。図２は、本発明の光ディスクの領域構成、及び切取線の形状を示した断面図である。本発明では、円盤型とは異形の光ディスクの記録面に可視画像を形成するため、前記のように、切片（外周部を切取線で切り取った部分）を切り取るために、１つまたは複数の切取線が形成された円盤型の光ディスクを使用する。そして、この円盤型の光ディスクに可視画像を形成してから、切取線で切片を切り取って、円盤型とは異形の光ディスクにする。
【００４７】
例えば、図２（Ａ）に示した円盤型の光ディスクＤは、切片４２，４３を切り取る前において、センタホール４４のほぼ中央が重心である。また、この光ディスクＤは、切片４２，４３を切り取って残った部分が、センタホール４４のほぼ中央が重心となるカード型（樽型）光ディスク４５となる。この円盤型の光ディスクＤは、φ８０ｍｍで、中心線４６からほぼ等間隔に、つまり中心線４６の両サイド約３０ｍｍの位置に、２本の平行な切取線４７，４８が外周４９と交差するように形成されている。ここで、切取線とは、ミシン目、スリット、Ｖ字溝など、光ディスクの切片を切り取るために設けられたものである。また、切り取るには、切片４２、４３の部分に両手を当てて、同時に反対方向に力を加える方法が簡単である。このようにすると、切片４２、４３が切取線で容易に割れる。
【００４８】
切取線がミシン目やスリットの場合、図２（Ｂ）に示したように、ミシン目の貫通部分を幅３００μｍ未満になるようにすると良い。また、Ｖ字溝の場合、図２（Ｃ）に示したように、最も広い部分の幅が３００μｍ未満になるように形成すると良い。このように設定することで、複屈折を含まない黒点であれば直径３００μｍ以内とするレッドブックの規定を満たすので、トラックジャンプが発生することなく可視画像を形成することができる。
【００４９】
また、ミシン目の貫通部分やＶ字溝の最も広い部分の幅が３００μｍ以上であっても、光ディスクに予め記録されている記録用トラックにトラッキングサーボをかけないで歌詞画像を形成する場合や、光ディスク記録装置１がデータを記録再生する際にフォーカシングエラーが発生しない場合は、この幅をさらに広く設定しても良い。
【００５０】
また、光ディスク記録装置１がミシン目の貫通部分やＶ字溝の部分を通過する際には、フォーカシングサーボを停止することで、ミシン目の貫通部分やＶ字溝の最も広い部分の幅を１〜２ｍｍ程度に設定することが可能である。これは、光ディスクに面振れがあっても、任意の点から１〜２ｍｍ程度ずれた位置では、適正なフォーカス距離が大幅に変化することは無く、フォーカシングサーボを再開しても、すぐに焦点位置を調整できるからである。
【００５１】
このように、光ディスクに切取線を設けることで、ユーザは光ディスクの切片を切取線に沿って折り曲げて割り取ることで、容易に異形の光ディスクを得ることができる。
【００５２】
光ディスクＤは、図２（Ｄ）に示したように、記録面における直径４６〜５０ｍｍの区間がリードイン領域５４として用意され、その外周側にデータを記録するための螺旋状の記録トラックが形成されたプログラム領域５８及び残余領域１２０が用意されている。また、リードイン領域５４よりも内周側には、パワー校正領域であるＰＣＡ（Ｐｏｗｅｒ　Ｃａｌｉｂｒａｔｉｏｎ　Ａｒｅａ）５２、及びプログラムメモリ領域であるＰＭＡ（Ｐｒｏｇｒａｍ　Ｍｅｍｏｒｙ　Ａｒｅａ　）５３が用意されている。ここで、円盤型光ディスクＤは、リードイン領域５４よりも外周側の切片を含む全域に亘って螺旋状の記録トラック（プリグルーブ）が形成されていても良い。また、円盤型の光ディスクＤから切片４２，４３を切り取ったカード型光ディスク４５のφ６０ｍｍの内接円内に形成しても良い。但し、いずれの場合も、クランピング領域よりも外周側の領域全体において、記録面として反射層と有機色素層を光ディスクの内層に形成しておく必要がある。
【００５３】
なお、円盤型の光ディスクＤがＣＤ−Ｒの場合、アゾ系の低速追記形光ディスクを用いると、特に視認性の良い可視画像を形成することができる。
【００５４】
また、光ディスクＤの切片を切り取った後の形状は、図２に示したカード型　（樽型）のに限るものではなく、切取線で切片を切取前後において、センタホールの中央部がほぼ重心となる形状であれば良い。これは、光ディスク記録装置で光ディスクＤを安定して回転させるためであり、重心がセンタホール以外の位置になると、回転が不安定になるからである。図３は、円盤型光ディスクに形成した切取線の例を示した断面図である。図３に示したように、円盤型の光ディスクの切片を切り取ると、長方形（図３（Ａ））、菱形（図３（Ｂ））、正三角形　（図３（Ｃ））などの形状になるように、切取線を設けると良い。また、図３　（Ｄ）に示したように、円盤型光ディスクにおいて、センタホールの中央部がほぼ重心となる任意の形状（図では長方形）をプレス抜きした後、元に戻すプッシュバック加工を施したものを用いても良い。なお、この場合、長方形の周囲が切取線である。
【００５５】
なお、上記の各光ディスクは、円盤型の光ディスクから切片を切取後に光ディスク記録装置１のトレイに載置した際に、ずれないような形状にする必要がある。すなわち、図３（Ａ）に示した長方形の光ディスクや図３（Ｂ）に示した菱形の光ディスクのように、最も長い対角線が８０ｍｍになるように、φ８０ｍｍの円盤型の光ディスクに切取線を設けると良い。また、図３（Ｃ）に示した正三角形の光ディスクや図３（Ｄ）に示した長方形の光ディスクのように、φ８０ｍｍの位置に突起を設けると良い。
【００５６】
次に、本発明の光ディスク記録装置１の動作について説明する。以下においては、記録形光ディスクとしてＣＤ−Ｒを用いた場合について説明する。また、以下の説明では、円盤型の光ディスクＤは、図２（Ａ）に示した切片を切り取った形状がカード型（樽型）であるものを使用するものとする。さらに、光ディスク記録装置１では、メイン制御部７がメイン記憶部６に格納されたプログラムを読み出して、また、制御部１６が記憶部２５に格納されたプログラムを読み出して、以下に説明する各動作を行う。
【００５７】
光ディスク記録装置１は、円盤型の光ディスクＤに形成された切取線の位置を検出し、この検出情報に基づいて、切片以外の領域であるカード型光ディスクの記録領域に可視画像を形成する。この可視画像は、カード型光ディスクの外周に接するセンタホールを中心とした内接円よりも外側の領域に形成することができる。また、可視画像は、ディスククローズした光ディスクのデータ未記録領域に形成することもできる。なお、円盤型の光ディスクＤの切片領域は可視画像形成後に切取線で切り取ることになるが、切片及び上記の記録領域に可視画像を形成しても良い。
【００５８】
光ディスク記録装置１は、以下のようにして、円盤型の光ディスクＤに形成された切取線の位置を検出する。図４は、光ディスク記録装置のピックアップの受光波形図である。光ディスク記録装置１において、光ディスクＤを回転させながら所定のパワーでレーザ光を照射したとき、図４に示したように、光ディスクへ照射したレーザ光の反射光は、切取線の部分で弱くなる。これは、切取線の部分が、貫通した形状やＶ字溝の形状であり、レーザ光の反射光が弱くなるためである。光ディスク記録装置１では、この特性を利用して、光ディスクＤの切取線を検出する。
【００５９】
また、光ディスク記録装置１には、切取線が形成された円盤型光ディスクＤの可視画像形成領域をすぐに判別できるように、円盤型光ディスクＤに形成された切取線の設定パターンが複数、メイン記憶部７に保存されている。ユーザは、光ディスクに可視画像を形成する際に、セットした光ディスクＤと同じパターンを光ディスク記録装置１に設定すると、光ディスク記録装置１に、光ディスクＤの切片とカード型光ディスクとして使用する部分とを短時間で判別させることができる。すなわち、上記のように、光ディスク記録装置１は、ユーザがセットした光ディスクＤと同じパターンが設定されると、光ディスクＤに形成された切断線を数ヶ所検出する。そして、切片の位置を設定されたパターンと比較し、両者が一致すれば、その切片のパターンに基づいて可視画像を形成する領域を判別する。
【００６０】
一方、円盤型光ディスクに形成された切取線のパターンが、光ディスク記録装置１に保存された切取線のパターン中に無い場合、光ディスク記録装置は、光ディスク全体をスキャンして光ディスクに形成された切取線を検出する。ここで、光ディスク記録装置１のフィードモータ８は、光ピックアップ１０を所定の距離（例えば、約８μｍ）ずつ光ディスクの半径方向に移動させることができる。したがって、光ディスク記録装置１のトレイに円盤型光ディスクＤをセットして、この光ディスクＤを回転させながら１回転する毎に光ピックアップを所定の距離ずつ移動させる。また、このとき、光ピックアップ１０から光ディスクＤに対して所定のパワーでレーザ光を照射する。光ディスク記録装置１は、この反射光のパワーが弱い部分を検出することで、切取線の位置を検出することができる。
【００６１】
また、光ディスク記録装置１は、検出した切取線のパターンデータ（極座標データ）を直交座標データ（例えば、ビットマップデータ）に変換し、表示部４に表示する。ユーザは、光ディスク記録装置１が光ディスクＤに形成された切取線の位置を正しく検出したか否かを確認することができる。
【００６２】
次に、光ディスク記録装置１の可視画像形成動作について説明する。光ディスク記録装置１のメイン制御部７は、ユーザが設定した任意の画像データをビットマップデータに変換する。そして、このビットマップデータを極座標データに変換する。さらに、この極座標データをバッファメモリ３０に蓄積し、レーザ照射パターン変換回路３１で可視画像形成データに変換し、光ピックアップからレーザ光を照射して、光ディスクＤの記録面に可視画像を形成する。
【００６３】
ここで、可視画像形成データとは、光ディスク記録装置で光ディスクを回転させながらレーザ光を照射して、可視画像を形成するためのパルス信号が連続するシリアルデータ、及び記録開始位置の情報を含むデータのことである。
【００６４】
次に、光ディスク記録装置１で光ディスクに可視画像を形成するための可視画像形成データの作成動作について説明する。図５は、直交座標系から極座標系に画像を変換する際のイメージ図である。まず、可視画像を形成した際に所定の階調表現ができるように、例えば、階調に応じてレーザ光の照射パワーの強弱を調整したり、直交座標系の画像をディザ処理したりする。なお、ディザ処理とは、ドットの分布や密度を変化させることで濃淡を表す方法である。続いて、ディザ処理した直交座標系の画像を極座標上に配置し、任意の１点を決定して、直交座標系の画像データを極座標系の画像データに変換する。つまり、図５に示したように、直交座標系の画像の右下角（ｘ，ｙ）＝（Ｘ０，Ｙ０）を基準点として、
ｒ＝√（Ｘ２＋Ｙ２），θ＝ｔａｎ−１（Ｙ／Ｘ）
の式に基づいて変換する。そして、光ディスク記録装置１でレーザ光を光ディスクに照射して可視画像を形成するために、極座標系の画像データを、レーザ光を照射するためのパルス信号からなるシリアルデータにする。このようにして作成したシリアルデータと、記録開始位置情報（アドレス情報または極座標（ｒ，θ）の情報）と、によって可視画像形成データが構成される。
【００６５】
次に、本発明の光ディスク記録装置が円盤型の光ディスクに画像を形成するときの動作について説明する。図６は、光ディスク記録装置で光ディスクに可視画像を形成する具体的な手順を説明するためのフローチャートである。図７は、可視画像設定プログラムの表示例である。まず、図７（Ａ）に示したように、ユーザは、光ディスク記録装置１の表示部４に、表示された可視画像設定プログラムのアイコン６１を選択して、可視画像設定プログラムの起動操作を行う。光ディスク記録装置１のメイン制御部７は、この操作を検出すると、メイン記憶部６が記憶する可視画像設定プログラムを読み出して起動する（ｓ１）。そして、図７（Ｂ）に示したように、メイン制御部７は、円盤型の光ディスクに設けられた切取線のパターンを選択して、その円盤型の光ディスクを、光ディスクドライブ２のトレイにセットするようにユーザに促す表示６２を表示部４に表示させる（ｓ２）。
【００６６】
ユーザは、この表示に従って、円盤型の光ディスクに設けられた切取線のパターンを選択するとともに、光ディスクドライブ２のトレイへ光ディスクをセットする。光ディスク記録装置１は、ユーザを上記の処理を行ったことを検出すると（ｓ３）、データを読み取るときのパワーのレーザ光を光ディスクへ照射して、光ピックアップ１０の位置を移動させながら反射光を検出して、数ヶ所で切取線の位置を検出する（ｓ４）。続いて、光ディスク記録装置１のメイン制御部７は、検出した切取線の位置と、ユーザが設定した円盤型光ディスクの切取線のパターンと、を比較して、このパターンで良いか否かを判定する（ｓ５）。メイン制御部７は、切取線のパターンがセットされた光ディスクと異なる場合、切取線のパターンを再設定するように促す表示を表示部４に表示させ（ｓ６）、入力があるまで待機する（ｓ７）。入力があると、ｓ５の処理を行う。一方、メイン制御部７は、ｓ５において、切取線のパターンがセットされた光ディスクと一致する場合、表示部４に、可視画像として光ディスクに形成する画像を設定するように、ユーザに促す表示を表示させる（ｓ８）。図７（Ｃ）に示したように、ユーザは、この表示に従って、可視画像として光ディスクに記録する任意の文字や絵画などの画像６３を設定する。このとき、ユーザは、任意の文字を入力部５から入力しても良いし、画像作成ソフトで任意の画像を作成しても良い。また、ホストコンピュータ３のメイン記憶部６が記憶している文字データや画像データを読み出しても良い。さらに、インターネット上のホームページから文字データや画像データを入手するようにしても良い。
【００６７】
図７（Ｄ）に示したように、光ディスク記録装置１は、直交座標系の画像６３が設定されると（ｓ９）、既に取得している記録形光ディスクの切取線のパターン情報に基づいて、設定された画像データを光ディスクの切片以外の領域に重畳した画像（可視画像のイメージ画像）６４を表示部４に表示させる（ｓ１０）。そして、メイン制御部７は、可視画像の編集を行うか否かをユーザに問い合わせる表示６５を表示部４に表示させる（ｓ１１）。ユーザは、表示部４に表示された可視画像の形成後の表示画像で良ければ、表示部４に表示された決定ボタンを選択して、光ディスク記録装置１に可視画像の形成を指示する。一方、ユーザは表示部４に表示された可視画像の形成後の表示画像に問題がある場合、可視画像の形成位置を変更したり可視画像のサイズを調整したりして、表示された画像の加工を行う（ｓ１２）。そして、調整が完了すれば決定ボタンを選択して、光ディスク記録装置１に可視画像の形成を指示する。
【００６８】
光ディスク記録装置１のメイン制御部７は、ユーザから可視画像の形成指示があると、ユーザによって設定された直交座標系の画像データをビットマップデータに変換し、さらにこのビットマップデータを極座標系の画像データに変換して、このデータをバッファメモリ３０に蓄積する（ｓ１３）。続いて、光ディスク記録装置１のレーザ照射パターン変換回路３１が、バッファメモリ３０に蓄積された極座標系のデータを読み出し、この極座標系の画像データに基づいて、可視画像形成データを作成する（ｓ１４）。すなわち、レーザ照射パターン変換回路３１は、極座標系の画像データを、レーザ光を照射するための階調制御を行うパルス信号からなるシリアルデータに変換し、記録開始位置情報（極座標（ｒ，θ）の情報）を付加して可視画像形成データを作成する。
【００６９】
メイン制御部７は、この可視画像形成データに基づいて、光ピックアップ１０が所定の位置にレーザ光を照射するように各部を制御して、円盤型の光ディスクの設定された場所、つまり、カード型光ディスクの外周に内接する円よりも外の領域に可視画像を形成する（ｓ１５）。メイン制御部７は、可視画像の形成を完了すると、可視画像形成処理を終了する。
【００７０】
ユーザは、切取線に沿って切片を折り曲げて割り取ることで、外周の内接円より外側のデータを記録できない領域に可視画像を形成したカード型の光ディスクを得ることができる。また、このカード型光ディスクには、光ディスク記録装置１で所望のデータを記録することができる。
【００７１】
なお、カード型光ディスクのデータの記録領域、またはデータの記録領域と外周の内接円より外側の領域とに可視画像を形成する場合は、データの記録領域にデータを記録してから可視画像を形成し、その後に切片を切り取ると良い。
【００７２】
【発明の効果】
本発明によれば、以下のような効果を得ることができる。
【００７３】
（１）円盤形状の光ディスクの状態で、外側の領域に可視画像を形成した後、切取線で外周部を切り取ることで、元の形状とは異なった形状で外側に可視画像を有する情報記録用光ディスクを容易に作成することができる。
【００７４】
（２）通常、光ディスクの重心位置は、回転中心である中心孔のほぼ中央であるので、切取線で外周を切り取った後においても、この情報記録用光ディスクを、常にバランス良く回転させて、データの記録や再生を安定して行うことができる。
【００７５】
（３）情報記録用光ディスクとして、カード型形状の光ディスクをユーザに提供できる。
【００７６】
（４）円盤形状の光ディスクを切取線で切り取ることによって、極めて簡単に元の光ディスクと異なる形状の光ディスクを得ることができる。
【００７７】
（５）記録トラックを形成しても、外周部を切取線で切り取ると記録トラックが断続的になり、データを記録したり記録データを再生しようとしても、フォーカシングエラーやトラッキングエラーが発生するため、データの記録や再生を行うことができない領域に可視画像を形成することができるので、この領域に任意の情報を表示するなどして有効に活用することができる。
【００７８】
（６）光ディスクの外周部を前記切取線で切り取って残った領域において、中心孔を中心として上記の領域の外周に接する内接円の外側の領域に可視画像を形成することができるので、この領域に任意の情報を表示するなどして有効に活用することができる。
【図面の簡単な説明】
【図１】本発明の実施形態に係る光ディスク記録装置の構成を示したブロック図である。
【図２】本発明の光ディスクの領域構成、及び切取線の形状を示した断面図である。
【図３】円盤型光ディスクに形成した切取線の例を示した断面図である。
【図４】光ディスク記録装置のピックアップの受光波形図である。
【図５】直交座標系から極座標系に画像を変換する際のイメージ図である。
【図６】光ディスク記録装置１で光ディスクに可視画像を形成する具体的な手順を説明するためのフローチャートである。
【図７】可視画像設定プログラムの表示例である。
【図８】カード型光ディスクの外観図である。
【図９】光ディスクドライブのトレイにカード型光ディスクを載置した状態を示した図である。
【符号の説明】
Ｄ−光ディスク
１−光ディスク記録装置
６−メイン記憶部
７−メイン制御部
１０−光ピックアップ
１６−制御部
１８−ストラテジ回路
２０−レーザパワー制御回路
２５−記憶部
【図１】
2004079142.tif 000003
【図２】
2004079142.tif 000004
【図３】
2004079142.tif 000005
【図４】
2004079142.tif 000006
【図５】
2004079142.tif 000007
【図６】
2004079142.tif 000008
【図７】
2004079142.tif 000009
【図８】
2004079142.tif 000010
【図９】
2004079142.tif 000011